(57)【要約】【課題】  操作円盤部の目印の位置情報を検出するセンサを設けることなく、データの読み出し位置と操作円盤部に付される目印の位置関係が調整される再生装置及び再生方法を提供する。【解決手段】  再生装置１０は、記録媒体に記録されたデータを再生する再生部１４と、再生部１４が再生したデータを記憶するＲＡＭ１６と、ＲＡＭ１６からのデータの読み出し速度及び読み出し順序を制御するための操作円盤部を備え、ＲＡＭ１６からのデータの読み出しに関する操作入力を受け付ける操作部２４と、操作部２４が受け付けた操作入力に基づいて、ＲＡＭ１６からのデータの読み出しを制御する制御部１２と、を備え、操作部２４が予め定めた操作入力を受け付け、再生部１４の再生を停止して当該操作入力に応じた処理を行うとき、制御部１２は、当該処理の間に操作円盤部が回転した量に応じて、ＲＡＭ１６におけるデータの読み出し位置を設定する。【選択図】図１
2010287270.tif 000002
【特許請求の範囲】
【請求項１】
記録媒体に記録されたデータを再生する再生部と、
前記再生部が再生したデータを記憶する記憶部と、
前記記憶部からのデータの読み出し速度及び読み出し順序を制御するための操作円盤部を備え、前記記憶部からのデータの読み出しに関する操作入力を受け付ける操作部と、
前記操作部が受け付けた操作入力に基づいて、前記記憶部からのデータの読み出しを制御する制御部と、を備え、
前記操作部が予め定めた操作入力を受け付け、前記再生部の再生を停止して当該操作入力に応じた処理を行うとき、前記制御部は、当該処理の間に前記操作円盤部が回転した量に応じて、前記記憶部におけるデータの読み出し位置を設定する
ことを特徴とする再生装置。
【請求項２】
前記予め定めた操作入力は、前記記憶部への予め定めた量のデータの読み出しを伴い、
前記制御部は、当該操作入力に応じて、前記再生部の再生を停止した位置を記憶し、前記記憶部へのデータの読み出しが完了するまでの前記操作円盤部の回転量を検出し、当該回転量に相当する時間量を加算した読み出し位置を設定する、
ことを特徴とする請求項１に記載の再生装置。
【請求項３】
記録媒体に記録されたデータを再生する再生部と、
前記再生部が再生したデータを記憶する記憶部と、
前記記憶部からのデータの読み出し速度及び読み出し順序を制御するための操作円盤部を備え、前記記憶部からのデータの読み出しに関する操作入力を受け付ける操作部と、
前記操作部が受け付けた操作入力に基づいて、前記記憶部からのデータの読み出しを制御する制御部と、を備えた再生装置を用いる再生方法であって、
前記操作部が予め定めた操作入力を受け付け、前記再生部の再生を停止して当該操作入力に応じた処理を行うとき、前記制御部は、当該処理の間に前記操作円盤部が回転した量に応じて、前記記憶部におけるデータの読み出し位置を設定する
ことを特徴とする再生方法。
【請求項４】
前記予め定めた操作入力は、前記記憶部への予め定めた量のデータの読み出しを伴い、
当該操作入力に応じて、前記再生部の再生を停止した位置を記憶し、前記記憶部へのデータの読み出しが完了するまでの前記操作円盤部の回転量を検出し、当該回転量に相当する時間量を加算した読み出し位置を設定する、
ことを特徴とする請求項３に記載の再生方法。
【発明の詳細な説明】
【技術分野】
【０００１】
本発明は、メモリに記憶したオーディオデータの読み出し速度及び読み出し順序を、操作円盤部の操作によって変化させることができる再生装置及び再生方法に関する。
【背景技術】
【０００２】
コンパクトディスク（Compact Disc：ＣＤ）等の記録媒体からメモリに読み出されたオーディオデータの読み出し速度及び読み出し順序を、操作円盤部（ジョグダイヤル）の操作によって変化させることができる、ディスクジョッキー（Disc Jockey（以下、ＤＪという。））等により使用される再生装置が知られている。
【０００３】
ＤＪ等は、このような再生装置を用いて再生している最中に、擦れ音のような効果音を発生させるスクラッチ再生と呼ばれる特殊再生を行うことがある。ＤＪ等は、アナログレコードをアナログレコードプレーヤで再生する場合の操作と同様に、操作円盤部をアナログレコードのように素早く正方向又は逆方向に回すことにより擦れ音を発生させる。
【０００４】
アナログレコードは、表面に形成された溝に当接したレコード針の振動によってオーディオ信号が出力される構成であることから、アナログレコードの溝とレコード針とが当接する位置によって、出力されるオーディオ信号を特定することができる。ＤＪ等は、スクラッチ再生を行う際に所望のオーディオ信号が出力される位置を認識できるように、シール等の目印をアナログレコードの表面の、溝が形成されていない内周部分に貼付することがある。
【０００５】
例えば、アナログレコードプレーヤでスクラッチ再生する場合、ＤＪ等は、先ず、アナログレコードのスクラッチ再生を行う位置より前の溝にレコード針を当接させ、アナログレコードの再生を開始する。次に、スクラッチ再生を行う位置が近づいたとき、ＤＪ等は、アナログレコードに手を近づけて準備しつつ、回転している目印を注視する。そして、アナログレコードの目印の位置がレコード針の位置と一致したタイミングでスクラッチ再生を開始する。このようにして、ＤＪ等は、容易に所望の位置からスクラッチ再生をすることができる。
【０００６】
所謂デジタルの再生装置において、スクラッチ再生を行う位置の指標となる目印を操作円盤部の上面に備え、当該目印に基づいてスクラッチ再生をタイミング良く開始することができるものがある。この再生装置によれば、上述のアナログレコードプレーヤにおける操作と同様のスクラッチ再生が可能である。
【０００７】
この再生装置では、操作円盤部の目印の位置情報（基準角度に対する角度）をセンサによって取得する。取得した位置情報に応じて操作円盤部を回転させて目印の位置を調整し、或いは、データの読み出しタイミングとずらして操作円盤部を回転駆動させ、スクラッチ、ジャンプ等の操作に起因する読み出し位置と操作円盤部の目印の位置とを調整する。
【先行技術文献】
【特許文献】
【０００８】
【特許文献１】特開２００５−２７６２８１号公報
【特許文献２】特開２００５−２９３６６６号公報
【特許文献３】特開２００６−９９８１９号公報
【発明の概要】
【発明が解決しようとする課題】
【０００９】
上記再生装置では、操作円盤部の目印の位置情報を取得するための専用のセンサが必要である。しかし、このようなセンサを設けることは、装置の設計における制約要因となるだけでなく、製造コストを上昇させる。
【００１０】
上記事情を鑑みて、本発明は、操作円盤部の目印の位置情報を検出するセンサを設けることなく、データの読み出し位置と操作円盤部に付される目印の位置関係が調整される再生装置及び再生方法を提供することを目的とする。
【課題を解決するための手段】
【００１１】
上記目的を達成するため、本発明の第１の態様における再生装置は、
記録媒体に記録されたデータを再生する再生部と、
前記再生部が再生したデータを記憶する記憶部と、
前記記憶部からのデータの読み出し速度及び読み出し順序を制御するための操作円盤部を備え、前記記憶部からのデータの読み出しに関する操作入力を受け付ける操作部と、
前記操作部が受け付けた操作入力に基づいて、前記記憶部からのデータの読み出しを制御する制御部と、を備え、
前記操作部が予め定めた操作入力を受け付け、前記再生部の再生を停止して当該操作入力に応じた処理を行うとき、前記制御部は、当該処理の間に前記操作円盤部が回転した量に応じて、前記記憶部におけるデータの読み出し位置を設定する
ことを特徴とする。
【００１２】
上記構成の再生装置において、
前記予め定めた操作入力は、前記記憶部への予め定めた量のデータの読み出しを伴い、
前記制御部は、当該操作入力に応じて、前記再生部の再生を停止した位置を記憶し、前記記憶部へのデータの読み出しが完了するまでの前記操作円盤部の回転量を検出し、当該回転量に相当する時間量を加算した読み出し位置を設定する。
【００１３】
上記目的を達成するため、本発明の第２の態様における再生方法は、
記録媒体に記録されたデータを再生する再生部と、
前記再生部が再生したデータを記憶する記憶部と、
前記記憶部からのデータの読み出し速度及び読み出し順序を制御するための操作円盤部を備え、前記記憶部からのデータの読み出しに関する操作入力を受け付ける操作部と、
前記操作部が受け付けた操作入力に基づいて、前記記憶部からのデータの読み出しを制御する制御部と、を備えた再生装置を用いる再生方法であって、
前記操作部が予め定めた操作入力を受け付け、前記再生部の再生を停止して当該操作入力に応じた処理を行うとき、前記制御部は、当該処理の間に前記操作円盤部が回転した量に応じて、前記記憶部におけるデータの読み出し位置を設定する
ことを特徴とする。
【００１４】
上記構成の方法において、
前記予め定めた操作入力は、前記記憶部への予め定めた量のデータの読み出しを伴い、
当該操作入力に応じて、前記再生部の再生を停止した位置を記憶し、前記記憶部へのデータの読み出しが完了するまでの前記操作円盤部の回転量を検出し、当該回転量に相当する時間量を加算した読み出し位置を設定する。
【発明の効果】
【００１５】
本発明によれば、操作円盤部の目印の位置情報を検出するセンサを設けることなく、データの読み出し位置と操作円盤部に付される目印の位置関係が調整される再生装置及び再生方法が提供される。
【図面の簡単な説明】
【００１６】
【図１】図１は本発明の実施の形態に係る再生装置のブロック図である。
【図２】図２は本発明の実施の形態に係るジョグダイヤル部の側断面図である。
【図３】図３（ａ）は操作円盤部と第２光センサ部との関係を示す図であり、図３（ｂ）は、その部分拡大図である。
【図４】図４（ａ）〜（ｄ）は、ジャンプ操作時における回転操作部の目印の位置と読み出し位置との関係を例示する図である。
【図５】図５は本実施の形態におけるジャンプ操作時の処理フローを示す図である。
【発明を実施するための形態】
【００１７】
本発明に係る実施の形態について、以下、図面を参照して詳細に説明する。なお、以下に示す実施の形態は一例であり、これに限定されない。
本実施の形態に係る再生装置は、アナログレコードを操作する場合と同様の操作により、ＣＤ等の記録媒体に記録されたデジタルオーディオデータについて、ＤＪ等の操作者が自在な再生を行うことが可能であり、例えば、クラブ、スタジオ等で好適に使用可能である。
【００１８】
本発明の実施の形態に係る再生装置１０の構成を図１に示す。図１に示す再生装置１０は、制御部１２と、再生部１４と、ＲＡＭ（Random Access Memory）１６と、メモリ制御部１７、信号処理部１８と、ＤＡＣ（Digital to Analog Converter）２０と、表示部２２と、操作部２４と、を備える。
【００１９】
制御部１２は、以下に説明する本実施の形態の再生装置１０全体の動作を制御する。
【００２０】
再生部１４は、記録媒体の読み取りドライブを含み、ＣＤ等の記録媒体に記録されたデジタルデータを読み取り、再生する。また、再生部１４は、デジタルデータが記憶された外付けメモリ、例えば、外付けハードディスク、フラッシュメモリ等からデジタルデータを読み出してもよい。
【００２１】
信号処理部１８は、オーディオデータの復調、フォーカスエラー信号やトラッキングエラー信号等のエラー信号、同期信号の抜き出し等をしてオーディオデータをメモリ制御部１２に入力する。
【００２２】
ＲＡＭ１６は、オーディオ信号処理部１８に入力されたデジタルオーディオ信号を記憶する。
【００２３】
メモリ制御部１７は、ＲＡＭ１６のメモリアドレスを管理する。また、メモリ制御部１７は、制御部１２により指示されたアドレス順及び速度で、ＲＡＭ１６に記憶されたオーディオデータを読み出す。
【００２４】
ＤＡＣ２０は、メモリ制御部１７によりＲＡＭ１６から読み出されたデジタルオーディオ信号をアナログオーディオ信号に変換する。ＤＡＣ２０から出力されたアナログオーディオ信号は、オーディオ出力端子２１を介してスピーカ等の機器に出力される。ＤＡＣ２０とオーディオ出力端子２１との間にアンプを設け、増幅したアナログオーディオ信号を出力してもよい。また、デジタル信号として出力する場合には、ＤＡＣ２０を用いず、所定のデジタルインタフェースの形式に変換して出力すれば良い。
【００２５】
表示部２２は、液晶表示装置等から構成される。表示部２２は、現在再生しているトラック、ファイルの再生時間（分、秒、フレーム）、操作内容等の情報を表示するが、表示内容はこれらに限られない。
【００２６】
操作部２４は、後述するジョグダイヤル部、再生ボタン、再生停止ボタン、イジェクトボタン等を備え（いずれも図１中図示せず）、操作者の操作を介して指示入力を受け付ける。
【００２７】
図２は、本実施の形態に係るジョグダイヤル部３０の側断面を示す。図２に示すジョグダイヤル部３０は、操作円盤部３２と、円盤部３４と、シート部３６と、第１光センサ部３８と、第２光センサ部４０と、から構成される。
【００２８】
操作円盤部３２は、再生装置１０の本体の上面を構成するパネル３１の上方に配置されている。操作円盤部３２は、例えばアナログレコードと同等の大きさの、１０ｃｍ〜３０ｃｍの外径を有する環状部材から構成されている。操作円盤部３２の幅は、操作者に充分な操作性を与える程度の大きさで設けられる。操作円盤部３２は、操作者に好ましい操作性を提供する金属材料或いはプラスチック材料から構成されている。
操作円盤部３２の外周部には、等間隔に円形状または長方形状の複数の開口よりなるスリット部３３が設けられている。
【００２９】
円盤部３４は、操作円盤部３２の下方にこれと同心に配置された、操作円盤部３２の外径と略同径或いは小径の円盤状部材から構成される。円盤部３４は、例えばポリカーボネートから構成される。
【００３０】
円盤部３４と操作円盤部３２との間には、シート部３６が設けられ、その略中心には回転軸３７が貫通している。シート部３６の内径は、操作円盤部３２の内径とほぼ等しい。シート部３６は、摩擦係数が小さく、静電気が発生しにくいプラスチックまたはプラスチック繊維から構成されている。
【００３１】
円盤部３４の下面には、アンカー部３９が略垂直に設けられている。アンカー部３９は、例えば、円盤部３４と同材質の、等間隔に円形状または長方形状の開口が複数設けられたリング状の板である。
【００３２】
第１光センサ部３８は、光センサを含んで構成され、アンカー部３９の開口を検出可能な位置にパネル３１に固定されている。第１光センサ部３８は、円盤部３４のアンカー部３９の開口を検出し、円盤部３４の回転状態に応じた信号を発生し制御部１２へ出力する。制御部１２は、第１光センサ部３８から入力される信号に基づいて円盤部３４の回転状態を判別し、円盤部３４の回転速度を一定速度に保つように図示しないモータを制御する。第１光センサ部３８が回転状態を検出する方法は、後述する第２光センサ部４０と同様であり、以下で詳述する。
【００３３】
円盤部３４は、図示しないモータによって予め定められた速度で回転駆動され、例えば、アナログディスクプレーヤの回転数とほぼ同じ３３＋１／３ＲＰＭ（１分当たり回転数）または４５ＲＰＭで回転される。なお、回転方向は、アナログレコードプレーヤのターンテーブルの回転方向（右回り）と同じ方向であることが好ましい。この場合、操作者は、アナログレコードを用いて特殊再生を行う操作と同様の操作感覚が得られる。
【００３４】
操作円盤部３２は、円盤部３４の回転に追従して、回転軸３７を中心として回転する。ここで、操作円盤部３２は、円盤部３４とほぼ同じ速度で回転可能である。すなわち、操作円盤部３２は、円盤部３４の回転に追従するのに十分な表面積とし、材質、厚みを調整することにより、介在するシート部３６が小さい摩擦係数であっても、円盤部３４と同じ回転速度で回転を開始するように、自重と慣性モーメントとが充分小さく設計されている。
【００３５】
第２光センサ部４０は、操作円盤部３２の外周近傍の、スリット部３３の開口を検出可能な位置にパネル３１に固定されている。例えば、第２光センサ部４０は、パネル３１の上面から突出した部分に取り付けられている。
【００３６】
図３（ａ）に、操作円盤部３２の上面図を示し、図３（ｂ）に、図３（ａ）の点線円内の部分を拡大した図を示す。
図３（ａ）に示すように、操作円盤部３２の上面の外周縁近には、スリット部３３を構成する複数の開口が帯状に略等間隔に設けられている。操作円盤部３２の材質が金属の場合、スリット部３３は略長方形状の開口として形成する。開口の形状は、適宜の形状でよい。操作円盤部３２の材質が透明又は半透明のプラスチックの場合は、スリット部３３を印刷によって形成してもよい。
【００３７】
第２光センサ部４０は、図３（ｂ）に示すように、２つの光センサ４１を備える。光センサ４１は、発光素子及び受光素子の対（いずれも図示せず）を備える。光センサ４１の発光素子は操作円盤部３２の一面上から一定強度のビーム光を投射し、受光素子は他面上に設けられて、透過光を受光する。受光素子は、光電変換素子から構成され、受光状態に応じてパルス信号を発生する。
なお、スリット部３３を印刷により形成した場合、印刷塗料にカーボンを含ませると、第２光センサ部４０がスリット部３３を検出する精度が向上しうる。
【００３８】
制御部１２は、第２光センサ部４０の光センサが発生したパルス信号に基づいて、操作円盤部３２の回転状態（回転速度及び回転方向）を判別する。
操作円盤部３２の回転速度が変化すると、第２光センサ部４０が一定期間に発生するパルス信号のパルス数は、操作円盤部３２の回転速度に応じて変化する。制御部１２は、第２光センサ部４０から一定期間に入力されたパルス数から操作円盤部３２の回転速度を判別する。なお、パルス幅から操作円盤部３２の回転速度を判別するようにしてもよい。
【００３９】
また、操作円盤部３２の回転方向が変化すると、第２光センサ部４０の２つの光センサ４１がそれぞれ発するパルス信号の位相差は、操作円盤部３２の回転方向に応じて変化する。制御部１２は、この２つの光センサ４１から入力されたパルス信号の位相差から操作円盤部３２の回転方向を判別する。
【００４０】
第２光センサ部４０の一方の光センサ４１は、他方の光センサ４１に対して、例えば、１／４ピッチ（ｍピッチ＋１／４ピッチでよい。ｍは自然数。）だけ正方向に進んだ位置にずれるよう配置されている。したがって、操作円盤部３２が正方向に回転したときには、光センサ４１の出力信号は、光センサ４１の出力信号に対して、＋９０゜の位相差となる。また、操作円盤部３２が逆方向に回転したときには、光センサ４１の出力信号は、光センサ４１の出力信号に対して、−９０゜の位相差となるので、光センサ４１の位相差を検出することによって、操作円盤部３２の回転方向を検出できる。
【００４１】
制御部１２は、第２光センサ部４０から入力されたパルス信号に応じて、ＲＡＭ１６に記憶されたオーディオデータを読み出す読み出し速度及び読み出し順序を判別し、メモリ制御部１７を制御する。操作部２４から再生開始の指示が入力されると、メモリ制御部１７は、入力に応じてＲＡＭ１６に記憶されたオーディオデータを読み出すよう制御する。
【００４２】
さらに、本実施の形態において、制御部１２は、特定期間内に第２光センサ部４０が発するパルス信号の数をカウントすることにより、当該期間における操作円盤部３２の回転量を求めることができる。制御部１２は、例えば、基準回転方向と同じ回転中はカウントアップ、逆方向回転中はカウントダウンを行い、操作円盤部３２の一周分のスリット数にあたるパルスカウントを得たとき、３６０°回転したと判別する。制御部１２は、例えば、１周毎にカウントをリセットし、０°〜３６０°に相当する回転量として保持する。
【００４３】
制御部１２は、操作円盤部３２の基準位置からの角度差（回転量）Δｒに相当する時間ズレ量Δｔを算出する。制御部１２は、得られた時間ズレ量Δｔに基づいて、ジャンプ時に発生する、操作円盤部３２の回転位置と、ＲＡＭ１６のオーディオデータの読み出し位置とを一致させる制御をする。
【００４４】
図４（ａ）〜（ｄ）は、本実施の形態に係る再生装置１０において、通常再生からジャンプ操作を行った場合に操作円盤部３２が回転する状態を示す図を示す。なお、図に示す例において、操作円盤部３２は、１分間に６０回転（６０ＲＰＭ）、すなわち1秒間１回転の速度で回転するものとする。
【００４５】
図４（ａ）は、オーディオデータの再生を開始したときの状態を示す。例えば、ユーザは、再生停止状態で、ユーザが好きな位置に目印Ｍを貼り付けておく。ユーザは目印Ｍが好みの位置にくるように操作円盤部３２を回して曲の頭だしを行い、再生を開始する。制御部１２は、再生開始時点での操作円盤部３２の位置を基準位置（０°）に設定する。図４（ａ）〜（ｄ）に示す例では、ユーザの手元に最も近い場所が基準位置である。
【００４６】
図４（ｂ）は、再生開始から１秒後の状態を示す。操作円盤部３２は１秒間に１回転するため、再生開始後１秒後には、目印Ｍは基準位置（０°）に位置する。
【００４７】
図４（ｃ）は、その後ユーザがジャンプボタンを押して、１０秒分前方向へジャンプさせた状態を示す。なお、本例においては、ジャンプする間隔は円盤部が一回転する時間の整数倍を基準とする。また、図５に、ジャンプ時の読み出し位置の調整処理のフロー例を示す。
【００４８】
操作部２４からジャンプの指示が入力されると、制御部１２は、再生を停止し、ジャンプ先の再生時間前後の所定量のオーディオデータを読み出す。制御部１２は、再生を停止した時点から第２光センサ部４０のパルスカウントを開始する（図５、ステップＳ１１）。
またこのとき、制御部１２は、現在の読み出し位置（再生時間を示すタイムコードなど）を記憶する（ステップＳ１２）。
【００４９】
図４（ｃ）に示す例では、ジャンプ先の再生時間である、再生開始から１１秒の位置の前０．５秒分、後１秒分の、例えば、１０．５秒から１２秒までのオーディオデータが読み出され、ＲＡＭ１６に記憶される。ここで、「再生時間」とは、例えば、オーディオトラックの再生時間である。
【００５０】
なお、ＲＡＭ１６に読み出されるデータ量は、少なくとも操作円盤部３２の一回転分の時間以上であればよい。あまりＲＡＭ１６に記憶させる量が多いと音声が途切れる時間が長くて操作性が悪くなるので許容される量とすることが好ましい。
【００５１】
オーディオデータのＲＡＭ１６への読み出しが完了するには時間を要する。再生停止期間中にも操作円盤部３２は回転を続けるが、制御部１２は、再生停止から読み出しが完了するまでの期間の第２光センサ部４０のパルス数をカウントする（図５、ステップＳ１３）。
制御部１２は、カウント数から期間中における操作円盤部３２の回転量を得る（ステップＳ１４）。図４（ｃ）に示す例では、再生停止期間中の操作円盤部３２の回転により、目印Ｍと基準位置との角度差Δｒが９０°になっているものとする。
【００５２】
制御部１２は、角度差Δｒから時間ズレ量Δｔを算出する（ステップＳ１５）。制御部１２は、得られた時間ズレ量Δｔをジャンプ先の再生時間に付加して読み出し開始位置に設定し、当該時間から再生を開始する（ステップＳ１６）。これにより、再生停止期間中の操作円盤部３２の回転に応じてＲＡＭ１６の読み出し位置が調節され、操作円盤部３２の目印Ｍはジャンプ前後において同じ回転状態に維持される。すなわち、ジャンプ前後で、操作円盤部３２の目印Ｍは同じタイミングで基準位置に位置する。
【００５３】
より詳細には、制御部１２は、パルスカウントにより検出された回転量に基づいて、ＲＡＭ１６に記憶されたオーディオデータの読み出し位置を決定する。再生停止からデータの読み出し完了までの操作円盤部３２の回転量をΔｒ（°）、操作円盤部３２の１秒間あたりの回転数をＲ（１回転／秒）とすると、操作円盤部３２がΔｒ回転するのに要する時間Δｔ（秒）は、Δｔ＝（Δｒ／３６０）・（１／Ｒ）で表せる。
【００５４】
図４（ｃ）に示す例において、Ｒ＝１（１秒当たり１回転。６０ＲＰＭ）であるので、操作円盤部３２が９０°回転するのに要する時間Δｔは０．２５秒である。
また、例えば、Ｒ＝０．７５（１秒間当たり０．７５回転。４５ＲＰＭ）の場合には、Δｔは０．３３秒である。
【００５５】
上述したように、Δｔは、ジャンプ操作時に発生した読み出し位置のズレ量に相当する。すなわち、ジャンプ前の操作円盤部３２の目印位置とＲＡＭ１６における読み出し位置と比べ、ジャンプ後の操作円盤部３２の目印位置とＲＡＭ１６における読み出し位置との間には、読み出しのために再生を停止した時間分ズレが生じている。Δｔはこの時間のズレ量に対応する。
【００５６】
従って、ジャンプ先の指定された読み出し位置（タイムコードで表された時間位置）にΔｔを付加した時間位置を、ジャンプ後の再生開始位置とすれば、このズレは調整され、操作円盤部３２の目印位置とＲＡＭ１６における読み出し位置は、ジャンプ前後で一致することとなる。
【００５７】
図４（ｃ）に示す例では、指定されたジャンプ先の時間位置（１１秒）に、回転ズレ量９０°に対応する時間量０．２５秒を付加した１１．２５秒が、ジャンプ後の読み出し開始位置となる。
【００５８】
操作円盤部３２は、毎秒１回転、即ち、１秒毎に３６０°回転することから、残り２７０°回転するのにさらに０．７５秒を要する。よって、図４（ｄ)に示すように、目印Ｍが基準位置と一致するのは、さらに０．７５秒経過した時点（再生開始から１２秒後）であり、目印Ｍはジャンプ以降も常に再生開始時と同じタイミングで基準位置に位置する。
すなわち、本例では、ジャンプの当初目標間隔を円盤部が一回転する時間の整数倍を基準とし、ジャンプ中に発生した回転ズレ量に対応する時間量を付加した時間分音出し位置を調整することにより、ジャンプ以降も常に再生開始時と同じタイミングで基準位置に位置することとなる。
【００５９】
なお、後方向のジャンプも同様に処理される。後方向ジャンプの場合には、現在再生時間からジャンプ時間を減じ、これに同様に算出した時間量Δｔを付加すればよい。
【００６０】
以上の構成により、例えば、ＣＤに記録されているオーディオデータの中からＤＪ等が、ジャンプ操作を行った後であっても、操作円盤部３２の目印位置はジャンプ前と同じ回転状態に維持される。このことにより、ＤＪ等は、再生位置と目印Ｍとのタイミングがずれてしまうことを心配することなくジャンプを用いてすばやく所望の位置まで到達させることができる。
【００６１】
上記実施の形態では、ジャンプ操作時の動作に即して説明したが、本発明はこれに限られない。例えば、スキャン、シーク動作といった、再生の停止とデータのＲＡＭ１６への読み出しを伴う特殊な再生操作についても本発明は適用可能である。すなわち、データの読み出しのために再生を停止している間に、操作円盤部３２が回転し、再生開始時と読み出し後とで操作円盤部３２の目印Ｍの回転状態が変化する場合に、本発明を用いることにより調整することができる。
【００６２】
また、上記実施の形態では、オーディオデータを処理する装置について説明したが、これに限らず、ビデオ信号を処理する装置についても同様に適用可能である。
【産業上の利用可能性】
【００６３】
本発明は、いわゆるＤＪ用再生装置に有用に用いることができる。
【符号の説明】
【００６４】
１０  再生装置
１２  制御部
１４  再生部
１６  ＲＡＭ
１７  メモリ制御部
１８  信号処理部
２０  ＤＡＣ
２２  表示部
２４  操作部
３２  操作円盤部
３３  スリット部
４０  第２光センサ部
Ｍ    目印
【図１】
2010287270.tif 000003
【図２】
2010287270.tif 000004
【図３】
2010287270.tif 000005
【図４】
2010287270.tif 000006
【図５】
2010287270.tif 000007